(57)【要約】      （修正有）【課題】小型化と耐久性の向上を達成したトルクリミッタ及び紙送り装置を提供すること。【解決手段】トルクリミッタ１は、ケース２にマグネット３が複数取り付けられ、耐摩耗部材４を挟むようにディスク５が当接され、キャップ６をケース２に嵌め込んで構成される。ケース２は、マグネット３を１個〜複数個嵌め込んで取り付けて収容することのできる形状を有し、ディスク５は、磁性体である。したがって、ディスク５は、耐摩耗部材４を挟んでマグネット３の近辺に位置すると、ディスク５の回転運動をマグネット３が固定されているケース２に伝達する。【選択図】図１
2011214695.tif 000002
【特許請求の範囲】
【請求項１】
１又は複数のマグネットと、
前記マグネットの近辺にあって、駆動軸からの回転運動が伝達される磁性体からなるディスクと、
前記マグネットを複数取り付けて収容するケースと、を備え、
前記マグネット及び前記ディスクにより発生するヒステリシストルクを利用し、
前記ケースへのマグネットの取り付け個数によりトルクを調整することを特徴とする、トルクリミッタ。
【請求項２】
前記マグネット及び前記ディスクの間に、前記マグネット及び前記ディスクの摩耗を防止するための耐摩耗部材を備えることを特徴とする、請求項１記載のトルクリミッタ。
【請求項３】
前記ケースは、前記マグネットを取り付ける箇所の底部に前記マグネットを取り付けた場合に前記マグネットを目視可能な可視孔を有することを特徴とする、請求項１又は２記載のトルクリミッタ。
【請求項４】
請求項１から３のいずれか１項記載のトルクリミッタと、
前記ケースに連結するコロを備え、
前記コロは、摺動性材であり、ローラに接触して前記ローラとのニップ部でシート状部材を送ることを特徴とする、紙送り装置。
【請求項５】
請求項４記載の紙送り装置を備えることを特徴とする、画像形成装置。
【発明の詳細な説明】
【技術分野】
【０００１】
本発明は、トルクリミッタ、紙送り装置及び画像形成装置に関し、特に、画像形成装置や画像読取装置の紙送り装置などに利用可能なトルクリミッタに関する。
【背景技術】
【０００２】
従来、図７に示すような円筒状のマグネット１８と、その外周に対向して配置されたヒス板１９により発生するヒステリシストルクを利用したトルクリミッタが広く使用されている。
【０００３】
しかしながら、このような従来のトルクリミッタは、回転軸方向にスペースを要してしまうという問題点がある。この問題点を解決するため、例えば、特許文献１や特許文献２に記載の発明が提案されている。
【０００４】
特許文献１には、環板部を摩擦板で挟み、コイルバネで圧接させることについて記載がある。しかしながら、安定した強力な圧力をかけるには、コイルバネの巻き数の増加と線径の拡大が必要になり、有効な小サイズ化は望めない。また、樹脂ケースで構成されている場合は、中のコイルバネの圧力と、使用及び保管環境によっては変形や破損の恐れがある。
【０００５】
特許文献２には、特許文献１に課題として上で指摘した小型化と耐久性を達成するために、駆動軸に連結するディスクを採用して摩擦発生面積を拡大し、このディスクをクリップ形状のバネ部材で挟み込むという構成を採用している。特許文献２に記載の技術は、本発明と課題は類似するが構成が異なる。
【発明の概要】
【発明が解決しようとする課題】
【０００６】
本発明は、上記実情に鑑みてなされたものであって、小型化と耐久性の向上を達成したトルクリミッタ、紙送り装置及び画像形成装置を提供することを目的とする。
【課題を解決するための手段】
【０００７】
上記目的を達成するために本発明は、１又は複数のマグネットと、前記マグネットの近辺にあって、駆動軸からの回転運動が伝達される磁性体からなるディスクと、前記マグネットを複数取り付けて収容するケースと、を備え、前記マグネット及び前記ディスクにより発生するヒステリシストルクを利用し、前記ケースへのマグネットの取り付け個数によりトルクを調整することを特徴とする、トルクリミッタを提供するものである。
【０００８】
また、本発明は、前記トルクリミッタと、前記ケースに連結するコロを備え、前記コロは、摺動性材であり、ローラに接触して前記ローラとのニップ部でシート状部材を送ることを特徴とする、紙送り装置を提供するものである。
また、本発明は、前記紙送り装置を備えることを特徴とする、画像形成装置を提供するものである。
【発明の効果】
【０００９】
本発明によれば、小型化と耐久性の向上を達成したトルクリミッタ、紙送り装置及び画像形成装置を提供することが可能となる。
【図面の簡単な説明】
【００１０】
【図１】本発明を好適に実施した一実施形態に係るトルクリミッタ１の分解斜視図である。
【図２】図１のトルクリミッタ１の断面図である。
【図３】図１のトルクリミッタ１を駆動軸８とコロ１０に連結した状態を示す図である。
【図４】図１のトルクリミッタ１を用いた紙送り装置（１枚のシートを送っている状態）を示す図である。
【図５】図１のトルクリミッタ１を用いた紙送り装置（２枚のシートを重送してしまっている状態）を示す図である。
【図６】本実施形態の紙送り装置を用いた画像形成装置を示す図である。
【図７】従来のトルクリミッタの一例を示す図である。
【発明を実施するための形態】
【００１１】
本発明を好適に実施した一実施形態について図面を参照して説明する。
図１に、本実施形態に係るトルクリミッタ１の分解斜視図を示す。
図示のように、トルクリミッタ１は、ケース２にマグネット３が複数取り付けられ、耐摩耗部材４を挟むようにディスク５が当接され、キャップ６をケース２に嵌め込んで構成される。
【００１２】
ケース２は、マグネット３を１個〜複数個嵌め込んで取り付けて収容することのできる形状を有している。また、この嵌め込み形状の底部には可視孔７が開いている（図２を参照して後述）。
ディスク５は、磁性体である。したがって、ディスク５は、耐摩耗部材４を挟んでマグネット３の近辺に位置すると、ディスク５の回転運動をマグネット３が固定されているケース２に伝達する。
【００１３】
図２に、トルクリミッタ１の断面図を示す。また、図３に、トルクリミッタ１を駆動軸８とコロ１０に連結した状態を示す。
【００１４】
図２に示すように、ディスク５はキャップ６の内径にガイドされる。また、図３に示すように、駆動軸８が挿入されると、駆動軸８は、ディスク５の内径とケース２の内径にて保持される。また、駆動軸８に設けられたピン９がディスク５の溝１１に嵌り、駆動軸８の回転運動をディスク５に伝達する。
【００１５】
さらに、回転運動が伝達されたディスク５とマグネット３の取り付けられたケース２とが磁力により連動することによって、回転運動はディスク５からケース２に伝達される。ここで、連動するためのトルクは、マグネット３の取り付け個数によって調整できる。また、マグネット３の取り付け個数は可視孔７により確認することができる。
【００１６】
そして、ケース２に設けられた凸部１２がコロ１０に回転運動を伝達する。コロ１０は、摺動性材であり、ローラ１４に接触してローラ１４とのニップ部でシート状部材を送る。図４及び図５を参照して、説明する。
【００１７】
図４及び図５は、コロ１０を連結したトルクリミッタ１とコロ１０に圧接するローラ１４とを備え、コロ１０とローラ１４のニップ部でシート状部材（紙や原稿のことを言う。以下、単に「シート１３」と呼ぶ）を送る紙送り装置を示す図である。
図４は、１枚のシートを送っている状態のローラ１４及び駆動軸８及びコロ１０の回転方向とシート１３の動きを示している。
一方、図５は、２枚のシートを重送してしまっている状態のローラ１４及び駆動軸８及びコロ１０の回転方向とシート１３の動きを示している。
【００１８】
図４に示すように、１枚のシート１３を送る際、コロ１０は、駆動軸８の回転方向とは逆の方向に回転し、ローラ１４と従動する。このとき、ディスク５とマグネット３は連動しないため、耐摩耗部材４でディスク５及びマグネット３の摩耗を防止することができる。
【００１９】
また、図５のように、シート１３を重送してしまった際は、駆動軸８とコロ１０が連動して２枚目以降のシート１３を戻し、図４の状態を保ちながら、安定してシート１３を送ることができる。
【００２０】
図４、図５に示したような、本実施形態のトルクリミッタ１を用いた紙送り装置は、例えば、画像形成装置に利用可能である。図６に、画像形成装置の概略構成図を示す。
【００２１】
図６には、本実施形態のトルクリミッタ１、これを用いた紙送り装置を採用した画像形成装置１７の概略構成が示されている。画像形成装置１７はいわゆる複合機であって、自動原稿送り装置（ＡＤＦ）の原稿送り装置１５、自動給紙部や手差し給紙部の給紙装置１６などに、本実施形態に係るトルクリミッタ１が用いられている。
【００２２】
上記実施形態によれば、小型化と耐久性の向上を達成したトルクリミッタ、紙送り装置及び画像形成装置を提供することが可能になる。また、マグネット３を１個又は複数個取り付け可能なケース２を備えることによって、取り付け個数に応じて連動するトルク調整ができる。
【００２３】
また、１枚のシート１３を送る際、コロ１０は駆動軸８の回転方向とは逆の方向に回転し、ローラ１４と従動することにより、ディスク５とマグネット３は連動せず、摩擦が生じるが、本実施形態においては、耐摩耗部材４を有するため、ディスク５とマグネット３の摩耗を防止することができる。
【符号の説明】
【００２４】
１    トルクリミッタ
２    ケース
３    マグネット
４    耐摩耗部材
５    ディスク
６    キャップ
７    可視孔
８    駆動軸
９    ピン
１０    コロ
１１    溝
１２    凸部
１３    シート
１４    ローラ
１５    原稿送り装置
１６    給紙装置
１７    画像形成装置
１８    マグネット
１９    ヒス板
【先行技術文献】
【特許文献】
【００２５】
【特許文献１】特許第３８７１２３２号公報
【特許文献２】特開２００６−０９０５４１号公報
【図１】
2011214695.tif 000003
【図２】
2011214695.tif 000004
【図３】
2011214695.tif 000005
【図４】
2011214695.tif 000006
【図５】
2011214695.tif 000007
【図６】
2011214695.tif 000008
【図７】
2011214695.tif 000009